(57)【特許請求の範囲】
【請求項１】
シャーシに設けられた回路基板の固定構造において、
前記回路基板に略垂直な前記シャーシの壁部から前記回路基板側へ略直角に延出した第１片部と、該第１片部から前記回路基板の側端面に沿って延出した第２片部と、該第２片部から前記回路基板側へ前記第１片部に対向するように延出した第３片部とを備え、
前記第１片部と前記第３片部との間に前記回路基板が挟まれることを特徴とする回路基板の固定構造。
【請求項２】
前記第３片部は、前記回路基板の上面側に位置し、前記第１片部より小さいことを特徴とする請求項１記載の回路基板の固定構造。
【請求項３】
前記第３片部の端部から斜め上方に延出した第４片部を備えることを特徴とする請求項２記載の回路基板の固定構造。
【請求項４】
前記第３片部の端部は、前記第１片部が延出する方向の端部であることを特徴とする請求項３記載の回路基板の固定構造。
【請求項５】
前記第３片部の端部は、前記第３片部が延出する方向の端部であることを特徴とする請求項３記載の回路基板の固定構造。
【請求項６】
前記シャーシが板金部材であり、前記第１〜第３片部は曲げ加工によって形成されることを特徴とする請求項１〜５の何れかに記載の回路基板の固定構造。
【請求項７】
前記第１片部と前記第３片部とで前記回路基板が挟持されることを特徴とする請求項６記載の回路基板の固定構造。
【請求項８】
請求項１〜７の何れかに記載の回路基板の固定構造を有する記録媒体再生装置。
【発明の詳細な説明】
【技術分野】
【０００１】
本発明は、シャーシに設けられた回路基板の固定構造及びその構造を有する記録媒体再生装置に関する。
【背景技術】
【０００２】
一般的に、電気機器において回路基板はシャーシに固定されている。これは、ＤＶＤやＢＤ（Blu-ray Disc）等の光ディスクを再生する光ディスクプレーヤーなどの記録媒体再生装置においても同じである。ここで、回路基板をどのようにして位置決めして固定するかについては様々な手法がある。
【０００３】
例えば特許文献１には、板金製のシャーシと、このシャーシに取付けられる配線基板とを少なくとも具備した電子機器において、配線基板の上面を押える基板押え片と配線基板の下面を支持する基板支持片とを備えた切り起こし部をシャーシに設ける一方、配線基板に開口を形成し、シャーシの切り起こし部を配線基板の開口に挿入すると共に、配線基板を横方向に移動させて配線基板の開口縁部を切り起こし部の基板押え片と基板支持片との間に挟み込み、配線基板の開口縁部が切り起こし部の基板押え片と基板支持片との間から外れないように配線基板の端部を当止部材で当止した構成が開示されている。
【０００４】
また特許文献２には、電気部品が装着された電気回路基板と、電気回路基板が固定される固定板と、電気回路基板の周縁に近接する立壁とから成り、立壁に電気回路基板上の電気部品を外部に露出させるための切欠及び該切欠の周縁に位置する立壁の一部を折り曲げることによって形成した押圧片とを形成し、押圧片の端部で電気回路基板を押さえるようにした電気回路基板の浮き防止構造が開示されている。
【０００５】
また特許文献３には、ベース部材のプリント基板対向面に設けプリント基板固定時にプリント基板に当接するリブと、前記プリント基板対向面に設けた開口部と、該開口部のリブ近傍の縁部から開口部中央に向けて延設した弾性部材よりなる延設片と、該延設片の先端よりプリント基板を固定する側に立設した弾性部材よりなる胴部と、胴部先端部分であって前記リブに臨む側に設けた係止爪と、を有し、前記リブと係止爪とでもってプリント基板をベース部材に固定するプリント基板の固定構造が開示されている。
【０００６】
また特許文献４には、部品を実装したプリント基板をシャーシの所定位置に位置決めして取り付けるための位置決め構造において、前記プリント基板の少なくとも３つの側縁と係合する少なくとも３つの立て爪を前記シャーシに設けたプリント基板の位置決め構造が開示されている。
【０００７】
また特許文献５には、上筐体および下筐体で構成される筐体に収納され、電子部品が搭載された基板を備え、前記下筐体には、前記基板を支持するリブおよび前記基板を固定する爪が突設され、前記基板には、前記爪が嵌合される爪嵌合部が刻設され、前記基板を保護する絶縁カバーを備えた電子機器筐体構造において、前記絶縁カバーは、前記基板の外周部を包囲して、前記リブ及び前記基板の間に挟着される可撓性を有する鍔を備えたことを特徴とする電子機器筐体構造が開示されている。
【先行技術文献】
【特許文献】
【０００８】
【特許文献１】特開２０１０−１４１１０６号公報
【特許文献２】特開２０００−１３８４７７号公報
【特許文献３】特開平１０−３０３５７４号公報
【特許文献４】実開平６−１３１８８号公報
【特許文献５】登録実用新案第３０２１１４４号公報
【発明の概要】
【発明が解決しようとする課題】
【０００９】
上記の特許文献１、２、５はビスを使用しないで回路基板をシャーシに取り付け可能にするものである。また、特許文献３は固定ネジと引掛部とで回路基板をシャーシに固定するものである。また、特許文献４は立て爪で回路基板の位置決めをし、ネジで回路基板をシャーシに固定するものである。このように、特許文献１〜５では回路基板を固定する手段としてビス（ネジ）を用いる以外に、回路基板を押さえる構造を用いている。
【００１０】
ところで、回路基板に搭載される電子部品からの発熱を効率良く放熱するために、シャーシに放熱シート貼り付け、この放熱シートと回路基板とを密着させる場合がある。この場合、放熱シートの高さによって回路基板が浮き上がるので、ビスで回路基板の四方を固定すると放熱シートに密着し易い。しかしながら、組み立て時のビス止めに時間を要し、部品代も高い。
【００１１】
そこで、特許文献１〜５のような回路基板を押さえる構造を用いると、作業性が向上し、コストダウンにもなるかもしれない。しかしながら、回路基板の位置決め、固定及び浮き上がり防止という課題は必ずしもこれらの構造では解決されない。
【００１２】
本発明は、回路基板の位置決め、固定及び浮き上がり防止を実現するとともに、作業性の向上及びコストダウンも実現する回路基板の固定構造を提供することを目的とする。また、その固定構造を有する記録媒体再生装置を提供することも目的とする。
【課題を解決するための手段】
【００１３】
上記目的を達成するために本発明は、シャーシに設けられた回路基板の固定構造において、前記回路基板に略垂直な前記シャーシの壁部から前記回路基板側へ略直角に延出した第１片部と、該第１片部から前記回路基板の側端面に沿って延出した第２片部と、該第２片部から前記回路基板側へ前記第１片部に対向するように延出した第３片部とを備え、前記第１片部と前記第３片部との間に前記回路基板が挟まれることを特徴とする。
【００１４】
この構成によれば、回路基板を、第１片部で支持でき、第２片部で位置決めでき、第３片部で押さえることができる。
【００１５】
上記の回路基板の固定構造において、前記第３片部は、前記回路基板の上面側に位置し、前記第１片部より小さいことが望ましい。
【００１６】
この構成によれば、回路基板を固定構造に係合させる際に、回路基板を第１片部に沿わせながら第３片部との間に挿嵌させることができ、作業性がよい。
【００１７】
また上記の回路基板の固定構造において、前記第３片部の端部から斜め上方に延出した第４片部を備えることが望ましい。また上記の回路基板の固定構造において、前記第３片部の端部は、前記第１片部が延出する方向の端部であってもよいし、前記第３片部が延出する方向の端部であってもよい。
【００１８】
これらの構成によれば、回路基板を固定構造に係合させる際に、まず回路基板を斜め上方から第４片部に沿わせてから、第１片部に沿わせることで、回路基板を第１片部と第３片部との間に挿嵌させることができ、作業性がよい。
【００１９】
また上記の回路基板の固定構造において、剛性及びコストの観点から、前記シャーシが板金部材であり、前記第１〜第３片部は曲げ加工によって形成されることが望ましい。
【００２０】
また上記の回路基板の固定構造において、前記第１片部と前記第３片部とで前記回路基板が挟持されるようにしてもよい。
【００２１】
この構成によれば、回路基板の第１片部又は第３片部に接触する部分に銅箔等を設けてアースすることも可能である。
【００２２】
また本発明は、上記の何れかに記載の回路基板の固定構造を有する記録媒体再生装置とする。
【発明の効果】
【００２３】
本発明によると、回路基板の固定構造により、ビス止めだけで回路基板を固定する場合よりも部品点数が減り、コストダウンすることができる。また、第４片部や第１片部に沿って回路基板を固定構造に挿嵌できるので作業性が向上する。また、第２片部によって回路基板が位置決めされるので作業性がよい。また、第３片部によって回路基板が押さえられるので、回路基板の浮き上がりが防止される。
【図面の簡単な説明】
【００２４】
【図１】本発明の一実施形態であるＨＤＤ一体型光ディスク装置の構成及びその周辺機器を示すブロック図である。
【図２Ａ】本発明の一実施形態であるＨＤＤ一体型光ディスク装置のシャーシの斜視図である。
【図２Ｂ】図２Ａの円で囲まれた部分の拡大図である。
【図３Ａ】図２Ａのシャーシを異なる方向から見た斜視図である。
【図３Ｂ】図３Ａの円で囲まれた部分の拡大図である。
【図４Ａ】図２Ａに回路基板を加えた図である。
【図４Ｂ】図４Ａの円で囲まれた部分の拡大図である。
【図５Ａ】本発明の一実施形態であるＨＤＤ一体型光ディスク装置のシャーシの他の形態の斜視図である。
【図５Ｂ】図５Ａの円で囲まれた部分の拡大図である。
【図６】図５Ａのシャーシを下面側から見た斜視図である。
【発明を実施するための形態】
【００２５】
以下、本発明の記録媒体再生装置の一例として、録画再生装置であるハードディスクドライブ（ＨＤＤ）一体型光ディスク装置を用いて説明する。
【００２６】
図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の録画再生装置に代表される外部装置１２とが接続されている。本ＨＤＤ一体型光ディスク装置１０はＢＤ（Blu-ray Disc）及びＤＶＤの録画／再生に対応している。またＨＤＤ一体型光ディスク装置１０は、リモコン１３によって操作可能である。
【００２７】
ＨＤＤ一体型光ディスク装置１０は、チューナ１６と、映像／音声圧縮伸長部１７と、ＨＤＤ記録再生部１８と、ＢＤ／ＤＶＤ記録再生部１９と、ＯＳＤ（On Screen Display）部２０と、映像出力部２１と、音声出力部２２と、メモリ２３と、リモコン受信部２４と、外部Ｉ／Ｆ２５と、制御部２６とを備えている。
【００２８】
チューナ１６は、アンテナ１５で受信したデジタルテレビ放送信号を復調、デジタル化する。映像／音声圧縮伸長部１７は、チューナ１６や外部装置１２から受け取った映像／音声データをＭＰＥＧ２等に準拠して圧縮符号化したり、ＨＤＤ記録再生部１８又はＢＤ／ＤＶＤ記録再生部１９で再生された圧縮された映像／音声データを伸長復号したりする。
【００２９】
ＨＤＤ記録再生部１８は、映像／音声圧縮伸長部１７から受け取った圧縮された映像／音声データをＨＤＤに記録したり、ＨＤＤに記録されたデータを再生したりする。ＢＤ／ＤＶＤ記録再生部１９は、映像／音声圧縮伸長部１７から受け取った圧縮された映像／音声データを挿入されたＤＶＤ又はＢＤに記録したり、ＤＶＤ又はＢＤに記録されたデータを再生したりする。
【００３０】
ＯＳＤ部２０は、各種設定値を表示装置１１の一部に表示しながら設定できるようにする。映像出力部２１は、ＯＳＤ部２０からの映像信号をアナログ化し、表示装置１１へ出力する。音声出力部２２は、映像／音声圧縮伸長部１７からの音声信号をアナログ化し、表示装置へ出力する。
【００３１】
メモリ２３は、ＲＯＭやＲＡＭからなり、各種プログラムや各種データ等を記憶する。リモコン受信部２４は、赤外線受光部等からなり、リモコン１３からの信号を受信する。外部Ｉ／Ｆ２５は、外部装置１２が接続される外部入力端子等からなる。制御部２６は、マイクロプロセッサ等からなり、ＨＤＤ一体型光ディスク装置１０の各部を制御する。
【００３２】
図２ＡはＨＤＤ一体型光ディスク装置１０のシャーシの斜視図であり、図２Ｂは図２Ａの円で囲まれた部分の拡大図である。図３Ａは図２Ａのシャーシを異なる方向から見た斜視図であり、図３Ｂは図３Ａの円で囲まれた部分の拡大図である。図４Ａは図２Ａに回路基板を加えた図であり、図４Ｂは図４Ａの円で囲まれた部分の拡大図である。
【００３３】
シャーシ３０は、ＨＤＤ一体型光ディスク装置１０の各種部材を搭載するボトムシャーシであり、筐体としての役割もある。シャーシ３０は鉄等の金属製であって、板金部材を曲げ加工、絞り加工、パンチ等によって成形したものである。
【００３４】
回路基板４０は、メモリ２３、制御部２６等の部材を搭載した基板である。回路基板４０はシャーシ３０にビス及び後述する固定構造によって固定される。なお、ビスに代えてフック等の係止手段を用いることもできる。以下、回路基板の固定構造について詳しく説明する。
【００３５】
シャーシ３０は、底面部３１と、底面部３１の後端が略直角に背面側上方に折り曲げられて形成された背面部３２と、底面部３１の両側端がそれぞれ略直角に側面上方に折り曲げられて形成された側面部３３、３３と、底面部３１の前端が略直角に前面側上方に折り曲げられて形成された前面部３４とを備えている。この構成により、背面部３２は回路基板４０に略垂直な壁部となる。
【００３６】
そして、背面部３２の一部が切り込まれ、さらに折り曲げられて回路基板４０の固定構造である固定部３５が形成されている。この固定部３５は回路基板４０の後端の角付近に位置している。また、背面部３２の一部が切り込まれ、さらに折り曲げられて回路基板４０の下面を支持する支持部３６が形成されている。支持部３６は回路基板４０の後端のもう一方の角付近に位置しており、回路基板４０のアースとして用いることもある。
【００３７】
また、底面部３１には回路基板４０に対向する位置に絞り加工によって略四角錐台形状に突出させた放熱シート設置台３７が形成されている。この放熱シート設置台３７上にシリコン等からなる放熱シート（不図示）が貼り付けられる。さらに、底面部には回路基板４０に対向する位置に絞り加工によって突出させた部分が２箇所形成され、それぞれの頂部にビス止め用のビス孔３８、３９が形成されている。なお、放熱シートがビス孔３８、３９よりも若干高く配置されるように設計されている。
【００３８】
固定部３５は、図２Ｂ又は図３Ｂに示すように、シャーシ３０を曲げ加工して形成された第１〜第４片部３５ａ〜３５ｄによって構成される。第１片部３５ａは、回路基板４０に略垂直なシャーシ３０の壁部である背面部３２から、回路基板４０側へ略直角に延出（突出）した矩形の板状部材である。本実施形態では、第１片部３５ａは回路基板４０の下面側に位置し、回路基板４０をシャーシ３０の底面部３１から離して支持する台座部となる。台座部は回路基板４０が撓んだときにシャーシ３０の底面３１と接触（短絡）しないようにする役割もある。なお、回路基板４０の第１片部３５ａに接触する部分に銅箔等を設けてアースすることも可能である。
【００３９】
第２片部３５ｂは、第１片部３５ａから回路基板４０の側端面４０ａに沿って延出した矩形の板状部材である。本実施形態では、第２片部３５ｂは第１片部３５ａの側面の一部から略直角に上方に延びている。
【００４０】
第３片部３５ｃは、第２片部３５ｂから回路基板４０側へ第１片部３５ａに対向するように延出した矩形の板状部材である。つまり、第３片部３５ｃは第１片部３５ａと略平行である。本実施形態では、第３片部３５ｃは回路基板４０の上面側に位置し、回路基板４０の浮き上がりを防止する押さえリブとなる。なお、回路基板４０の第３片部３５ｃに接触する部分に銅箔等を設けてアースすることも可能である。
【００４１】
また本実施形態では、第３片部３５ｃは第１片部３５ａより小さく、上面から見ると第３片部３５ｄは第１片部３５ａの後端付近に位置している。これにより、回路基板４０を固定部３５に係合させる際に、回路基板４０を前方から後方へ向けて第１片部３５ａに沿わせながら第３片部３５ｃとの間に挿嵌させることができ、作業性がよい。
【００４２】
第４片部３５ｄは、第３片部３５ｃの第１片部３５ａが延出する方向の端部から斜め上方に延出した矩形の板状部材である。本実施形態では、第４片部３５ｄは第３片部３５ｃの前端部から前方斜め上方に延びている。これにより、回路基板４０を固定部３５に係合させる際に、まず回路基板４０を前方斜め上方から第４片部３５ｄに沿わせてから、第１片部３５ａに沿わせて後ろ方向へ移動させることで、回路基板４０を第１片部３５ａと第３片部３５ｃとの間に挿嵌させることができ、作業性がよい。
【００４３】
そして、図４Ａ又は図４Ｂに示すように、第１片部３５ａと第３片部３５ｃとの間に回路基板４０が挟まれる。固定部３５でアースしない場合は若干余裕を持って挟む設計でもよい。つまり、第２片部３５ｂの長さ（高さ）が回路基板４０の厚みより若干大きくなるように設計する。一方、固定部３５でアースする場合は第１片部３５ａと第３片部３５ｃとで回路基板４０をきつめに挟持することが望ましい。つまり、第２片部３５ｂの長さ（高さ）が回路基板４０の厚みとほぼ同じになるように設計する。
【００４４】
このように、固定部３５を用いることにより、ビス止めだけで回路基板を固定する場合よりも部品点数が減り、コストダウンすることができる。また、回路基板４０は、第４片部３５ｄや第１片部３５ａに沿って固定部３５に挿嵌できるので作業性が向上する。
【００４５】
また、回路基板４０は、その左右方向が第２片部３５ｂによって位置決めされ、その前後方向が背面部３２によって位置決めされる。これにより、ビス孔３８、３９と回路基板のビス穴４０ｂ、４０ｃとが重なるので、直ぐにビス止めでき、作業性がよい。
【００４６】
また、回路基板４０は前方の２箇所のビス止めと後端の固定部３５とで固定されるので、回路基板４０の中央付近に位置する放熱シートによる回路基板４０の浮き上がりが防止される。
【００４７】
なお、第２片部は上記実施形態のように上方に延出する以外に、下方に延出するようにしてもよい。第２片部が下方に延出している場合は第１片部が押さえリブ、第３片部が台座部となる。この場合、回路基板４０を挿嵌し易くするために、第３片部を第１片部より大きくすることが望ましい。
【００４８】
なお、固定部３５は少なくとも１箇所に設けられれば足りるが、２箇所設けると回路基板４０の位置決めや固定がより確実となる。固定部３５を２箇所設ける場合、例えば、支持部３６を省略し、固定部３５と対称な形状の固定部を回路基板４０の後端のもう一方の角付近に対応させて設けることができる。
【００４９】
図５ＡはＨＤＤ一体型光ディスク装置１０のシャーシの他の形態の斜視図であり、図５Ｂは図５Ａの円で囲まれた部分の拡大図である。図６は図５Ａのシャーシを下面側から見た斜視図である。
【００５０】
本実施形態のシャーシ５０が上記の実施形態のシャーシ３０と異なる主要な点は固定部５５の構造であるので、以下では固定部５５について詳しく説明し、上記のシャーシ３０に準ずるその他の構については簡単に説明する。
【００５１】
シャーシ５０は、底面部５１と、背面部５２と、側面部５３、５３と、前面部５４とを備えている。
【００５２】
そして、背面部５２の一部が切り込まれ、さらに折り曲げられて回路基板４０の固定構造である固定部５５が形成されている。この固定部５５は回路基板４０の後端の角付近に位置している。また、背面部５２の一部が切り込まれ、さらに折り曲げられて回路基板４０の下面を支持する支持部５６が形成されている。支持部５６は回路基板４０の後端のもう一方の角付近に位置しており、回路基板４０のアースとして用いることもある。また、底面部５１には放熱シート設置台５７、ビス孔５８、５９が形成されている。
【００５３】
固定部５５は、図５Ｂに示すように、シャーシ５０を曲げ加工して形成された第１〜第４片部５５ａ〜５５ｄによって構成される。第１片部３５ａは、回路基板４０に略垂直なシャーシ５０の壁部である背面部５２から、回路基板４０側へ略直角に延出（突出）した矩形の板状部材である。本実施形態では、第１片部５５ａは回路基板４０の下面側に位置し、回路基板４０をシャーシ５０の底面部５１から離して支持する台座部となる。台座部は回路基板４０が撓んだときにシャーシ５０の底面５１と接触（短絡）しないようにする役割もある。なお、回路基板４０の第１片部５５ａに接触する部分に銅箔等を設けてアースすることも可能である。
【００５４】
第２片部５５ｂは、第１片部５５ａから回路基板４０の側端面に沿って延出した矩形の板状部材である。本実施形態では、第２片部５５ｂは第１片部５５ａの側面の一部から略直角に上方に延びている。
【００５５】
第３片部５５ｃは、第２片部５５ｂから回路基板４０側へ第１片部５５ａに対向するように延出した矩形の板状部材である。つまり、第３片部５５ｃは第１片部５５ａと略平行である。本実施形態では、第３片部５５ｃは回路基板４０の上面側に位置し、回路基板４０の浮き上がりを防止する押さえリブとなる。なお、回路基板４０の第３片部５５ｃに接触する部分に銅箔等を設けてアースすることも可能である。
【００５６】
また本実施形態では、第３片部５５ｃは第１片部５５ａより小さく、上面から見ると第３片部５５ｄは第１片部５５ａの左端付近に位置している。これにより、回路基板４０を固定部５５に係合させる際に、回路基板４０を右側方から左側方へ向けて第１片部５５ａに沿わせながら第３片部５５ｃとの間に挿嵌させることができ、作業性がよい。
【００５７】
第４片部５５ｄは、第３片部５５ｃが延出する方向の端部から斜め上方に延出した矩形の板状部材である。本実施形態では、第４片部５５ｄは第３片部５５ｃの右端部から右斜め上方に延びている。これにより、回路基板４０を固定部５５に係合させる際に、まず回路基板４０を右斜め上方から第４片部５５ｄに沿わせてから、第１片部５５ａに沿わせて左方向へ移動させることで、回路基板４０を第１片部５５ａと第３片部５５ｃとの間に挿嵌させることができ、作業性がよい。
【００５８】
そして、第１片部５５ａと第３片部５５ｃとの間に回路基板４０が挟まれる。固定部５５でアースしない場合は若干余裕を持って挟む設計でもよい。つまり、第２片部５５ｂの長さ（高さ）が回路基板４０の厚みより若干大きくなるように設計する。一方、固定部３５でアースする場合は第１片部５５ａと第３片部５５ｃとで回路基板４０をきつめに挟持することが望ましい。つまり、第２片部５５ｂの長さ（高さ）が回路基板４０の厚みとほぼ同じになるように設計する。
【００５９】
このように、固定部５５を用いることにより、ビス止めだけで回路基板を固定する場合よりも部品点数が減り、コストダウンすることができる。また、回路基板４０は、第４片部５５ｄや第１片部５５ａに沿って固定部３５に挿嵌できるので作業性が向上する。
【００６０】
また、回路基板４０は、その左右方向が第２片部５５ｂによって位置決めされ、その前後方向が背面部５２によって位置決めされる。これにより、ビス孔５８、５９と回路基板のビス穴４０ｂ、４０ｃとが重なるので、直ぐにビス止めでき、作業性がよい。
【００６１】
また、回路基板４０は前方の２箇所のビス止めと後端の固定部５５とで固定されるので、回路基板４０の中央付近に位置する放熱シートによる回路基板４０の浮き上がりが防止される。
【００６２】
なお、第２片部は上記実施形態のように上方に延出する以外に、下方に延出するようにしてもよい。第２片部が下方に延出している場合は第１片部が押さえリブ、第３片部が台座部となる。この場合、回路基板４０を挿嵌し易くするために、第３片部を第１片部より大きくすることが望ましい。
【００６３】
なお、固定部５５は少なくとも１箇所に設けられれば足りるが、２箇所設けると回路基板４０の位置決めや固定がより確実となる。固定部５５を２箇所設ける場合、例えば、支持部５６を省略し、固定部５５と対称な形状の固定部を回路基板４０の後端のもう一方の角付近に対応させて設けることができる。
【００６４】
上記の２つの実施形態で説明したようにシャーシ３０、５０に回路基板４０を組み付けた後は、リアパネル（不図示）を取り付ける。回路基板４０の後端にはシャーシ３０、５０から突出するように映像や音声信号を入出力するためのジャックが複数取り付けられている。
【００６５】
従来はシャーシ後端に回路基板を固定する構造はなく、シャーシに回路基板を取り付けた状態で、放熱シートによって回路基板の後端が若干浮き上がっており、ジャックも浮き上がっている状態であった。そこで、従来はリアパネルに回路基板を押さえるリブを設けて回路基板を押さえながらリアパネルを取り付けていたが、リアパネルのジャック挿入穴にジャックを嵌めにくかった。したがって、従来はリアパネルのジャック挿入穴を大きくする必要があった。そのため、ジャック挿入穴に対してジャックがオフセンターしてしまっていた。
【００６６】
これに対して本発明によれば、シャーシ３０、５０に固定部３５、５５を設けることにより、回路基板４０が浮き上がることがなく、リアパネルに回路基板を押さえるリブを設けたり、リアパネルのジャック挿入穴を大きくしたりしなくてもリアパネルを簡単に取り付けることができ、ジャック挿入穴に対してジャックがオフセンターすることもない。また、放熱シートと回路基板４０との密着性が向上するので放熱性能がよい。また、回路基板４０が浮き上がることがないので、安定してアースの効果が得られる。
【産業上の利用可能性】
【００６７】
本発明は各種電気機器に利用でき、特に、光ディスク装置等の再生装置や録画再生装置、ハードディスク装置等の録画再生装置に有効に利用することができる。また、テレビ受像機やセットトップボックス、複数の再生部又は記録再生部を１つの筐体に組み込んだ複合機、例えばＨＤＤ一体型光ディスク装置等にも利用することができる。また、１つ以上の再生部又は記録再生部を組み込んだテレビ受像機にも利用することができる。
【符号の説明】
【００６８】
１０  ＨＤＤ一体型光ディスク装置（記録媒体再生装置）
１１  表示装置
１２  外部装置
１３  リモコン
１５  アンテナ
１６  チューナ
１７  映像／音声圧縮伸長部
１８  ＨＤＤ記録再生部
１９  ＢＤ／ＤＶＤ記録再生部
２０  ＯＳＤ部
２１  映像出力部
２２  音声出力部
２３  メモリ
２４  リモコン受信部
２５  外部Ｉ／Ｆ
２６  制御部
３０、５０  シャーシ
３１、５１  底面部
３２、５２  背面部
３３、５３  側面部
３４、５４  前面部
３５、５５  固定部（固定構造）
３６、５６  支持部
３７、５７  放熱シート設置台
３８、３９、５８、５９  ビス孔
４０  回路基板
４０ａ  側端面
【図１】
0005163790.tif 000002
【図２Ａ】
0005163790.tif 000003
【図２Ｂ】
0005163790.tif 000004
【図３Ａ】
0005163790.tif 000005
【図３Ｂ】
0005163790.tif 000006
【図４Ａ】
0005163790.tif 000007
【図４Ｂ】
0005163790.tif 000008
【図５Ａ】
0005163790.tif 000009
【図５Ｂ】
0005163790.tif 000010
【図６】
0005163790.tif 000011